(57)【特許請求の範囲】
【請求項１】
発信または着信するための発着信機能を有する移動体通信端末であって、
発着信したとき及び発着信相手の情報を表示するための操作がなされたときに、電波状況を検出することにより、自端末が屋内にあるかどうかを判別する判別部と、
発着信したときの自端末が屋内であるという判別結果と発着信相手の情報とを関連させて記憶する記憶部と、
発着信相手の情報を表示するための操作がなされたとき、屋内にて発着信したときの発着信相手の情報を表示させる表示制御部と、を備える移動体通信端末。
【請求項２】
発着信したときに自端末の位置情報である第一の位置情報を取得し、発着信相手の情報を表示するための操作がなされたときに自端末の位置情報である第二の位置情報を取得する位置取得部をさらに備える請求項１記載の移動体通信端末。
【請求項３】
前記記憶部は、発着信相手の情報と関連させて発着信時刻を記憶し、
発着信相手の情報を表示するための操作がなされたとき、
前記表示制御部は、現在時刻を含む所定の時間帯に含まれる前記発着信時刻と関連する発着信相手の情報を表示させる請求項１または２記載の移動体通信端末。
【請求項４】
前記記憶部は、発着信相手の情報と関連させて発着信したときの曜日を記憶し、
発着信相手の情報を表示するための操作がなされたとき、
前記表示制御部は、現在の曜日と同じ曜日に関連する発着信相手の情報を表示させる請求項１乃至３のいずれか記載の移動体通信端末。
【請求項５】
前記記憶部は、発着信相手の情報と関連させて発着信したときの日付を記憶し、
発着信相手の情報を表示するための操作がなされたとき、
前記表示制御部は、今日の日付を含む所定範囲内に含まれる日付と関連する発着信相手の情報を表示させる請求項１乃至４のいずれか記載の移動体通信端末。
【発明の詳細な説明】
【技術分野】
【０００１】
本発明は、着信または発信履歴を表示する移動体通信端末に関する。
【背景技術】
【０００２】
近年、電話の発信または着信、メールの送信または受信が可能な移動体通信端末が知られており、発信履歴リストまたは着信履歴リストから相手を選択して連絡することが行われている。
【０００３】
例えば、特許文献１には、日時順に発着信履歴のデータを並び替えることが可能な携帯電話機が記載されている。
【先行技術文献】
【特許文献】
【０００４】
【特許文献１】特開平１０−１６１９５７公報
【発明の概要】
【発明が解決しようとする課題】
【０００５】
しかし、ユーザが連絡したい相手は、会社にいるとき、あるいは家にいるときなど、場所によって異なることが多く、特許文献１に記載の携帯電話機では不十分であった。
【０００６】
本発明はかかる点に鑑みてなされたものであり、移動体通信端末の位置情報をもとに、発着信相手の情報を表示する移動体通信端末を提供することにある。
【課題を解決するための手段】
【０００７】
本発明の一実施形態にかかる移動体通信端末は、発信または着信するための発着信機能を有する移動体通信端末であって、発着信したときに自端末の位置情報である第一の位置情報を取得し、発着信相手の情報を表示するための操作がなされたときに自端末の位置情報である第二の位置情報を取得する位置取得部と、発着信相手の情報と関連させて第一の位置情報を記憶する記憶部と、発着信相手の情報を表示するための操作がなされたとき、第二の位置情報を含む所定の範囲内に含まれる第一の位置情報と関連する発着信相手の情報を表示させる表示制御部と、を備える。
【０００８】
本発明の一実施形態にかかる移動体通信端末は、発着信したとき及び発着信相手の情報を表示するための操作がなされたときに、自端末が屋内にあるかどうかを判別する判別部をさらに備えてもよい。
【０００９】
前記判別部は、電波のマルチパスを検出することにより屋内であるかどうかを判別してもよい。
【００１０】
前記記憶部は、発着信したときの自端末が屋内であるという判別結果と発着信相手の情報とを関連させて記憶し、発着信相手の情報を表示するための操作がなされたときに自端末が屋内であると判別された場合、前記表示制御部は、発着信したときに自端末が屋内であったと判別された発着信相手の情報を表示させてもよい。
【００１１】
前記記憶部は、発着信相手の情報と関連させて発着信時刻を記憶し、発着信相手の情報を表示するための操作がなされたとき、前記表示制御部は、現在時刻を含む所定の時間帯に含まれる前記発着信時刻と関連する発着信相手の情報を表示させてもよい。
【００１２】
前記記憶部は、発着信相手の情報と関連させて発着信したときの曜日を記憶し、発着信相手の情報を表示するための操作がなされたとき、前記表示制御部は、現在の曜日と同じ曜日に関連する発着信相手の情報を表示させてもよい。
【００１３】
前記記憶部は、発着信相手の情報と関連させて発着信したときの日付を記憶し、発着信相手の情報を表示するための操作がなされたとき、前記表示制御部は、今日の日付を含む所定範囲内に含まれる日付と関連する発着信相手の情報を表示させてもよい。
【発明の効果】
【００１４】
本発明にかかる移動体通信端末は、移動体通信端末の位置情報にもとづいた発着信相手の情報を表示することができる。そのため、ユーザは、所望の相手に対して早急に連絡をとることが可能となる。
【図面の簡単な説明】
【００１５】
【図１】本発明における移動体通信端末１００の一例である携帯電話機１００の外観斜視図である。
【図２】携帯電話機１００のブロック構成図である。
【図３】携帯電話機１００にて記憶されている発信相手の情報リストである。
【図４】（ａ）は、通常の発信履歴表示であり、（ｂ）は、発信履歴の表示切替設定画面の表示である。
【図５】現在地から所定範囲内に発信した発信履歴の表示である。
【図６】携帯電話機１００が発信した位置と発信相手の情報とを示すマップである。
【図７】所定範囲の設定変更画面を示す画面表示である。
【図８】所定範囲の設定を、指操作により変更していることを示す画面表示である。
【図９】所定範囲の設定を変更した後の発信履歴の表示である。
【図１０】現在地からの所定範囲の設定条件に、新たな条件を追加するための画面表示である。
【図１１】建物内の発信履歴に限定した後の発信履歴表示である。
【図１２】建物内の発信履歴に限定した後の発信履歴表示に含まれる発信情報において、発信した位置と発信相手の情報を示すマップである。
【図１３】発信の際に適用されるプログラムのフローチャートである。
【図１４】電話発信の際に適用されるプログラムのフローチャートの一部である。
【図１５】図５の結果に、現在地から所定範囲内で着信を受けた結果を合わせたマップである。
【図１６】現在地から所定範囲内での発着信履歴の表示である。
【発明を実施するための形態】
【００１６】
本発明の一実施形態にかかる移動体通信端末を説明する。
【００１７】
〔構成〕
本発明の一実施形態にかかる移動体通信端末とは、外部と通信できる端末装置であればよい。移動体通信端末としては、例えば、携帯電話機、ＰＨＳ（Personal Handy-phone System）、外部と通信できるＰＤＡ（Personal Digital Assistant）、カーナビゲーショ
ンシステム等が挙げられる。
【００１８】
以下に、移動体通信端末装置の一例である携帯電話機の構成について説明する。
【００１９】
図１は、携帯電話機１００の外観斜視図である。なお、図１においては一例として表示部１０１にタッチパネルを有するストレートタイプの携帯電話機１００を示す。タッチパ
ネルには、例えば、静電容量方式、抵抗膜方式、光学式、超音波表面弾性波方式、赤外線遮光方式、電磁誘導方式、画像認識方式など種々の方式がある。
【００２０】
なお、前述のようにストレートタイプの携帯電話機１００を示しているが、他に、折り畳み型、スライド型などの携帯電話機であってもかまわない。
【００２１】
図１に示す携帯電話機１００の外観には、表示部１０１、受話口（レシーバー）１０２、送話口（マイク）１０３、操作部１０４が備えられている。
【００２２】
表示部１０１は、携帯電話機１００に備えられた機能を実現するために各種情報を表示する。各種情報としては、例えば、図１に示すような電波状態表示１０５ａ、電池残量１０５ｂ、日付表示１０５ｃおよび時刻表示１０５ｄが挙げられる。各種情報としては他に、機能メニュー、アドレス帳、電話の着信履歴、発信履歴、メールの着信履歴および発信履歴、データフォルダに保存された文字データおよび画像データなども含まれる。
【００２３】
表示部１０１の具体例として、例えば、液晶表示部、有機ＥＬ（ＥＬＥＣＴＲＯ  ＬＵＭＩＮＥＳＣＥＮＣＥ）表示部、プラズマ表示部などが挙げられる。
【００２４】
受話口１０２は、後述する制御部１０６からの制御信号によって外部に音を出力する機能を有する。受話口１０２は例えば、通話相手の音声を出力することができる。
【００２５】
送話口１０３としては例えばマイクなどが挙げられ、音声などの外部からの音を入力する機能を有する。送話口１０３は、入力された音をアナログ信号としてＡ／Ｄコンバータに出力する。
【００２６】
操作部１０４は、ユーザからの操作の入力を受け付ける。操作部１０４が受け付けたユーザからの操作は、信号として制御部１０６に入力される。図１の場合、操作部１０６は、ボタン状であり、それが押圧されることで操作がなされる。
【００２７】
図２は、携帯電話機１００のブロック構成図である。
【００２８】
記憶部１０７は、アドレス帳領域１０７ａ、電話発信履歴領域１０７ｂ、電話着信履歴領域１０７ｃ、メール発信履歴領域１０７ｄおよびメール着信履歴領域１０７ｅを含むメモリ領域である。
【００２９】
制御部１０６は、無線通信回路１０８およびアンテナ１０９を通して携帯電話機用の電波を受信し、または送信させる。無線通信回路１０８は、この実施例では携帯電話機１００の通信方式としてＣＤＭＡ方式が用いられている。なお、通信方式としてはこれに限られず、例えば、ＬＴＥ方式など他の通信方式でもよい。
【００３０】
無線通信回路１０８は、レイク受信部１０８ａを含み、レイク受信部１０８ａは位相検出部１０８ｂを含む。
【００３１】
位相検出部１０８ｂは、携帯電話機１００の電波のマルチパスを検出する。ここで、マルチパス（multipath）は、多重波伝送路と訳されるとおり、送信された電波が受信され
るまでに複数の経路をたどる現象をいい、たとえば、直線で最短距離を結ぶ直接波のほかに反射波や透過波、回折波などによって発生するものである。そして、制御部１０６はマルチパス検出部が所定以上のマルチパスを検出したとき、携帯電話機１００が屋内に在ると判別することができる。
【００３２】
マルチパスは、直接波の他に反射波や透過波、回折波などが発生するために起こるものである。反射波は高層ビルなどの障害物で反射されながら進むので、直接波よりもやや遅れて受信される。障害物で電波が反射されずに、そのまま素通りしてくるものを透過波と呼ぶ。障害物の角を通過する電波が屈折によって方向を変えたものが回折波である。このようなマルチパスは直接波に対しての障害となる電波である。
【００３３】
携帯電話機１００では、このマルチパスを積極的に活用する「レイク受信」という技術を採用してもよい。
【００３４】
レイク（Rake）とは、「熊手」のことで、レイク受信とは「電波をかき集めて受信する」ことを指す。つまり、マルチパスとして直接波や反射波が複数方向から届いた場合、同じ周波数を持つ干渉波として本来の受信に悪影響を及ぼしてしまう。そこで，マルチパスの電波を個々に受信し、位相のずれなどを修正した上で重ね合わせて利用する技術がレイク受信である。レイク受信で重ね合わせた信号は、直接波だけを取り込んだ信号よりも大きくなるため、Ｓ／Ｎ比が上がることで雑音にも強くなる。
【００３５】
このようなレイク受信を実現するのがレイク受信部１０８ａであり、レイク受信部１０８ａでは上述のように位相のずれを修正する必要があるので、レイク受信部１０８ａは、位相検出部１０８ｂを含む。位相検出部１０８ｂは、一例として、マルチパスの各電波による信号の位相を基準信号（パイロット信号）の位相と個々に比較することによって、各信号の位相ずれの程度（位相差）を検出し、各信号の位相差を示すデータを得る。この位相差データがレイク受信部１０８ａにおける位相補正に利用される。
【００３６】
なお、携帯電話機１００では、無線通信回路１０８では、上述のレイク受信部１０８ａが、アンテナ１０９から受信した携帯電話機用電波を処理して受信信号を出力する。無線通信回路１０８はこの受信信号から音声信号を再生または復調し、この音声信号が制御部１０６に入力される。音声信号は制御部１０６で音声データに変換されて出力される。
【００３７】
ＧＰＳ信号受信回路１１１は、現在位置情報を取得するためのＧＰＳ（Ｇｌｏｂａｌ  Ｐｏｓｉｔｉｏｎｉｎｇ  Ｓｙｓｔｅｍ）による測位サービスに用いられる。このサービスでは、ＧＰＳ衛星の電波を捕捉するためのアシスト情報が、基地局を介して所定の測位サーバ（例えば、ＰＤＥ；Ｐｏｓｉｔｉｏｎ  Ｄｅｔｅｒｍｉｎａｔｉｏｎ  Ｅｎｔｉｔｙ）から受信される。
【００３８】
ＧＰＳ信号受信回路１１１は、ＧＰＳのアンテナにより受信したＧＰＳ衛星からの所定周波数帯の電波信号を復調処理し、処理後の信号を制御部１０６に供給する。
【００３９】
無線通信回路１０８は、アンテナ１０９から入力された所定の高周波信号に復調処理及び復号処理を施してデジタルの音声信号へと変換する。また、制御部１０６から入力されたデジタルの音声信号には符号化処理及び変調処理を施して、高周波信号に変換する。そして、無線通信回路１０８は高周波信号をアンテナ１０９へ出力する。
【００４０】
アンテナ１０９は、所定の周波数帯域を受信して高周波信号として無線通信回路１０８に出力する。また無線通信回路１０８より出力された高周波信号を所定の周波数帯域の信号として出力する。
【００４１】
制御部１０６は、携帯電話機１００に備えられたソフトウェアおよびハードウェアを制御する。例えば、制御部１０８は、表示部１０２におけるタッチパネル入力部、操作部１０６、など、ユーザにより受け付けた入力操作を検知して、携帯電話機１００に備えられた各種機能を実行する。また、制御部１０６は、記憶部１０７と協働して携帯電話機１００に記憶されたプログラムを実行する。
【００４２】
制御部１０６としては、例えば、制御用ＣＰＵなどが挙げられる。
【００４３】
以上のように、タッチパネル入力部を有する携帯電話機１００の例をもとにして説明したが、タッチパネル入力部のかわりにキー入力部を有する携帯電話機１００であってもよい。
【００４４】
図３には、記憶部１０７に記憶されている携帯電話機１００の発信履歴を示す。図３の発信履歴の中には、発信相手の情報である電話番号または名前とともに、発信時刻、位置情報が複数記憶されている。
【００４５】
また、図３に示すように、発信履歴の中には、発信相手への発信があった際に、携帯電話機１００が屋内であったかどうかの表示がなされていてもよい。携帯電話機１００が屋内かどうかの判別は、上述した位相検出部１０８ｂが、携帯電話機１００の電波のマルチパスを検出して所定以上のマルチパスを検出したとき、携帯電話機１００が屋内に在ると判別する。
【００４６】
図３のように記憶部１０７にて記憶されている発信履歴を、実際に携帯電話機１００の表示部１０１に発信履歴として表示された図４（ａ）である。図４（ａ）の発信履歴では、発信時刻が新しい順番に、発信情報が並んでいる。
【００４７】
図４（ａ）が表示された状態で、右下の「表示切替」と表示されたソフトキーを押すことで、発信履歴の並び替えをすることができる。図４（ｂ）のように、「現在地優先表示」が表示されているときに、それを選択すると、図５に示すような発信履歴が表示される。この発信履歴は、現在地から半径５００ｍの範囲内において、発信回数が多かった順に、発信相手の情報を並びかえている。なお、発信相手Ａおよび発信相手Ｃの発信回数は同じであるが、この場合、発信時の携帯電話機１００の位置が現在地から近い方の相手の情報から順に示している。なお、ここでは、発信履歴の表示画面から表示切替を設定しているが、例えば、発信履歴を表示する前の段階で設定してもよい（たとえば、待ち受け画面から設定画面に移行して設定するなど）。
【００４８】
ここで、左下の「地図表示」を選択することにより、現在地とその周辺を示すマップを表示できる（図６参照）。
【００４９】
図６では、現在地が表示され、その現在地を中心とした半径５００ｍの範囲を現在地からの所定範囲１１１として表示している。
【００５０】
図６では、所定範囲１１１内で、発信した発信相手の名前をマップ上に表示している。なお、名前に変えて、例えば、アドレス帳に登録されている相手に関する画像（たとえば、相手の写真など）をマップ上に表示させてもよい。
【００５１】
図５の発信履歴と同様の結果を図６のマップからも確認できる。つまり、図６のマップに表示された所定領域１１１の範囲内において、発信相手Ｂが４件、発信相手Ａが３件、発信相手Ｃが３件表示されており、図５の発信履歴と同様の結果が確認できる。これにより、ユーザは、現在地周辺で、誰にどの場所で発信したかを直感的に確認することができる。
【００５２】
上述の例では、現在地から半径５００ｍの範囲内における発信履歴情報を示したが、例えば、現在地からの所定領域を半径５００ｍから半径２５０ｍに変更する例を以下に示す
。
【００５３】
例えば、図５の発信履歴表示画面において、右下の「設計変更」のソフトキーを選択すると、図７の上部に示すような設定画面が表れる。ここで、半径「５００ｍ」を半径「２５０ｍ」と入力することで、図９に示すような発信履歴結果を絞りこむことができる。
【００５４】
また、図５の発信履歴表示画面において、左下の「地図表示」のソフトキーを選択することで、上述した図６のマップが表示されるが、その際に、図８に示すように、タッチパネルを有する表示部１０１を指１１２で触って、現在地からの所定範囲１１１を狭めることでも同様の設定が可能となる。図８に表示された所定領域１１１の範囲内において、発信相手Ａが３件、発信相手Ｂが２件表示されており、図９の発信履歴と同様の結果が直感的に確認できる。
【００５５】
図１０では、設定変更の一例として、さらに発信時の携帯電話機１００が建物の中であった場合を絞りこむための表示を示している。
【００５６】
具体的には、図１０の上部に示すように、「建物内で発信した発信相手情報に限定」と記載された左側のチェックボックスにチェックを入れることで、設定が変更される。なお、上述したように、建物内かどうかの判別は、電波のマルチパスを検出することにより行われる。
【００５７】
例えば、図８のような所定範囲１１１としたうえで、さらに、建物内で発信した発信相手情報に限定することで、図３に示す履歴の中で、屋内であることが記憶されている３件の履歴情報（発信相手Ａ２件および発信相手Ｂ１件）に限定される（図１１参照）。  
【００５８】
ここで、図１１の画面で「地図表示」のソフトキーを選択することにより、図１２のマップが表示される。図１２に示すように、上記３件は吹き出し線を太くするなどわかりやすく表示されている。
【００５９】
マップは、地図アプリと連動されたものでもよい。地図アプリから建物の情報が得られ、例えば、図１２のようにマップ上にＤ会社のような表示をしてもよい。図１２の場合、上記３件がＤ会社の領域に含まれるようにして表示されており、屋内という判別結果と合わせると、３件ともいずれもＤ会社の中で発信したことがわかる。
【００６０】
〔動作処理〕
電話発信時の処理を実行するプログラムについて図１３を用いて説明する。まず、ステップＳ１にて電話を発信した後は、ＧＰＳにて位置情報を取得して図３の発信履歴のように電話番号と紐づけて記憶する（ステップＳ２）。次に、電波のマルチパスを検出し（ステップＳ３）、所定以上のマルチパスが検出された場合（ステップＳ４：Ｙｅｓ）、屋内であると判別してその旨を発信履歴に記憶する（ステップＳ５）。一方、所定以上のマルチパスが検出されてなかった場合は、再びステップＳ４に戻る。
【００６１】
図１４では、発信履歴表示の際に実行するプログラムを示す。
【００６２】
ステップＳ６にて、発信履歴表示指示を受けた場合（ステップＳ６：Ｙｅｓ）、現在地から所定範囲内における発信履歴を表示する設定がなされているかを検出する（ステップＳ７）。設定がなされている場合（ステップＳ７：Ｙｅｓ）、現在地の位置情報を取得する（ステップＳ８）。一方、設定がなされていない場合（ステップＳ７：Ｎｏ）、通常の発信履歴表示をする（ステップＳ１０）。
【００６３】
現在地の位置情報を取得したのち、現在地の位置情報から所定範囲内の発信履歴情報を抽出し（ステップＳ９）、抽出した発信履歴情報を発信回数の多い順番に並べる（ステップＳ１１）。
【００６４】
特定範囲の設定を変更するための指示を受けたかどうかを検出し（ステップＳ１２）、変更する場合は（ステップＳ１２：Ｙｅｓ）、再抽出した発信履歴情報を発信回数の多い順番に並べる（ステップＳ１３）。一方、特定範囲の設定を変更しない場合は、そのまま終了する。
【００６５】
（変形例）
以上のように、図面等を用いて説明したが、本発明は上記内容に限定されない。
【００６６】
例えば、上述では、電話の発信履歴表示を一例として述べたが、それに限定されず、電話の着信履歴表示、メールの着信履歴表示、メールの発信履歴表示でもよい。また、発信履歴と着信履歴とを混合させて表示する発着信履歴を行ってもよい。例えば、図１５には、所定範囲１１１内において誰に対してどの場所で発信したかだけでなく、誰からどの場所で着信したかも一緒に示している（黒の印が発信に関する位置であり、白の印が着信に関する位置である）。この図から、Ｃからは２回着信を受けており、ＡおよびＢからは着信を受けていないことがわかる。このように、着信結果も加味すると、所定範囲１１１内において、ユーザはＣとよく連絡をとりあっており、所定範囲１１１内ではＣの優先度が高いとみることもできる。
【００６７】
図１６には、図１５における発着信履歴を表示する。図５において発信履歴のみの結果では、Ｂの順位がもっとも上であったが、着信履歴も加えた発着信履歴の場合、Ｃの順位がもっとも上になる。このように、発信履歴を、発着信履歴に切り替えて表示してもよい。
【００６８】
図６のように、現在地から所定範囲内における発信履歴を、発信回数の多い順に並べているが、現在地から近い順番に並べてもよい。
【００６９】
図７〜９に示したように、現在地からの所定範囲が狭くなるようにして、発信履歴結果を絞りこんだが、例えば、発信した時間帯を条件として絞りこんでもよい。例えば、選択する時間帯として、時間帯１（６時〜１２時）、時間帯２（１２〜１８時）、時間帯３（１８時〜２４時）などが挙げられる。
【００７０】
発信履歴結果の絞りこみ条件としては、曜日が挙げられる。曜日情報は、発信履歴情報に記憶されていればそれを用いる。曜日情報が発信履歴情報に記憶されていない場合は、発信履歴情報に記憶されている日付をもとに、例えば、スケジュール情報から曜日情報を引き出して曜日情報を導き出してもよい。
【００７１】
発信履歴結果の絞りこみ条件としては、その他に日付が挙げられる。日付情報は発信履歴情報に記憶されており、それを用いる。
【００７２】
また、上述では、位置検出はＧＰＳを用いていたが、それに限定されず、例えば、ＧＰＳを用いることができない場合は、携帯電話の基地局により位置を測位してもよい。
【符号の説明】
【００７３】
１００  携帯電話機
１０１  表示部
１０２  受話口
１０３  送話口
１０４  操作部
１０５ａ  電波状態表示
１０５ｂ  電池残量
１０５ｃ  日付表示
１０５ｄ  時刻表示
１０６  制御部
１０７  記憶部
１０７ａ  アドレス帳領域
１０７ｂ  電話発信履歴情報
１０７ｃ  電話着信履歴情報
１０７ｄ  メール発信履歴情報
１０７ｅ  メール着信履歴情報
１０８  無線通信回路
１０８ａ  レイク受信部
１０８ｂ  位相検出部
１０９  アンテナ
１１０  ＧＰＳ信号受信回路
１１１  現在地からの所定範囲
【図１】
0005773803.tif 000002
【図２】
0005773803.tif 000003
【図３】
0005773803.tif 000004
【図４】
0005773803.tif 000005
【図５】
0005773803.tif 000006
【図６】
0005773803.tif 000007
【図７】
0005773803.tif 000008
【図８】
0005773803.tif 000009
【図９】
0005773803.tif 000010
【図１０】
0005773803.tif 000011
【図１１】
0005773803.tif 000012
【図１２】
0005773803.tif 000013
【図１３】
0005773803.tif 000014
【図１４】
0005773803.tif 000015
【図１５】
0005773803.tif 000016
【図１６】
0005773803.tif 000017